(57)【要約】【課題】  電子機器の保守点検時等における脱着作業が容易で、小型かつ軽量の電子機器収納箱を提供する。【解決手段】  電子機器４を収納可能で、前面が開放された本体３と、本体３の背面を除く全面を被覆するカバー２と、本体３の基部６の上面及び下面に形成された凹状部６ｄ、９ａと、カバー本体７の上面及び下面内側に形成され、基部６の凹状部６ｄと係合可能な係合部１０ａ、１１ａとを備える電子機器収納箱１。凹状部６ｄ、９ａと、係合部１０ａ、１１ａとを係合させて組立構造を形成でき、電子機器４の脱着作業が容易となる。カバー本体７の上面及び下面内側に形成され、基部６の突出部１２と係合可能な第２の係合部１０ｂ、１１ｂと、基部６の下面に形成された突出部１３に螺設された雌ねじ部と、カバー本体７の下面の外側から下面を貫通して雌ねじ部と螺合する雄ねじ部を備えたねじ１５とを備えることが好ましい。【選択図】  図１
2006032581.tif 000002
【特許請求の範囲】
【請求項１】
電子機器を収納可能で、前面が開放された本体と、
該本体の背面を除く全面を被覆するカバーと、
前記本体の上面及び下面に形成された凹状部と、
前記カバーの上面及び下面内側に形成され、前記本体の前記凹状部と係合可能な係合部とを備えることを特徴とする電子機器収納箱。
【請求項２】
前記本体の上面及び下面に形成された突出部と、
前記カバーの上面及び下面内側に形成され、前記本体の前記突出部と係合可能な第２の係合部とを備えることを特徴とする請求項１に記載の電子機器収納箱。
【請求項３】
前記本体の下面に形成された前記突出部に螺設された雌ねじ部と、
前記カバーの下面の外側から該下面を貫通して前記雌ねじ部と螺合する雄ねじ部を備えたねじとを備えることを特徴とする請求項２に記載の電子機器収納箱。
【請求項４】
前記カバーの側面に形成された通風口を備えることを特徴とする請求項１、２または３に記載の電子機器収納箱。
【請求項５】
前記カバーの底面に穿設された水抜き穴を備えることを特徴とする請求項１乃至４のいずれかに記載の電子機器収納箱。
【発明の詳細な説明】
【技術分野】
【０００１】
本発明は、電子機器を収納する電子機器収納箱に関し、特に、保守点検時等における脱着作業を容易に行うことができ、小型かつ軽量の電子機器収納箱に関する。
【背景技術】
【０００２】
従来、建物の屋外壁面等から突出するように設置された電子機器収納箱に収納された電子機器を保守点検する際、または電子機器に障害が発生した場合には、例えば、図６に示すように、コインロック式鍵３５を開き、電子機器３３を電子機器収納箱３１の前面から取り外したり、取り付けたりする必要がある。その際、電子機器収納箱３１の内部へ水が侵入するのを防止するため、電子機器収納箱３１の前面部には、防水用パッキン３１ａと、この防水パッキン３１ａに当接する枠部３２ａ及び蝶番３４を有し、開閉可能で、機器前面を透視することのできる前面扉３２が設けられる（例えば、特許文献１）。
【０００３】
さらに、この電子機器収納箱３１は、上記防水構造に加え、電子機器の内部発熱による温度上昇を防止するための空冷対策として、電子機器の外形容積に比較して電子機器収納箱の内部容積を大きく確保することにより、対流、放射等にて放熱する構造を採用している。
【０００４】
【特許文献１】特開２００３−２０９３７５号公報
【発明の開示】
【発明が解決しようとする課題】
【０００５】
しかし、上記従来の電子機器収納箱は、保守点検等を行う際に、防水用パッキン３１ａと枠部３２ａとを密着させながら前面扉３２を開閉する必要があるため、電子機器３３の脱着作業に時間を要するとともに、防水構造及び放熱構造を備えるため、収納する電子機器に対して電子機器収納箱の外形が大型化し、重量も増加するという問題があった。
【０００６】
そこで、本発明は、上記従来の電子機器収納箱における問題点に鑑みてなされたものであって、電子機器の保守点検時等における脱着作業を容易に行うことができるとともに、小型かつ軽量の電子機器収納箱を提供することを目的とする。
【課題を解決するための手段】
【０００７】
上記目的を達成するため、本発明は、電子機器収納箱であって、電子機器を収納可能で、前面が開放された本体と、該本体の背面を除く全面を被覆するカバーと、前記本体の上面及び下面に形成された凹状部と、前記カバーの上面及び下面内側に形成され、前記本体の前記凹状部と係合可能な係合部とを備えることを特徴とする。
【０００８】
そして、本発明によれば、本体の上面及び下面に形成された凹状部と、カバーの上面及び下面内側に形成された係合部とを係合させることにより、組立構造を形成することができるため、本体内に収納された電子機器の保守点検時等における電子機器の脱着作業を容易に行うことができる。
【０００９】
前記電子機器収納箱において、前記本体の上面及び下面に形成された突出部と、前記カバーの上面及び下面内側に形成され、前記本体の前記突出部と係合可能な第２の係合部とを備えるようにすることができる。前記本体の上面及び下面に形成された凹状部と、カバーの上面及び下面内側に形成された係合部との係合に加え、本体の上面及び下面に形成された突出部と、カバーの上面及び下面内側に形成された第２の係合部とを係合させることにより、本体とカバーとのガタツキを抑え、安定した状態で本体にカバーを装着することができる。
【００１０】
前記電子機器収納箱において、前記本体の下面に形成された前記突出部に螺設された雌ねじ部と、前記カバーの下面の外側から該下面を貫通して前記雌ねじ部と螺合する雄ねじ部を備えるようにすることができる。これによって、本体とカバーとのガタツキを抑え、安定した状態で本体にカバーを固定することができる。
【００１１】
前記電子機器収納箱において、前記カバーの側面に形成された通風口を備えるようにすることができる。これによって、通風換気による空冷構造を形成することができ、小型・軽量の電子機器収納箱を提供することができる。
【００１２】
前記電子機器収納箱において、前記カバーの底面に穿設された水抜き穴を備えるようにすることができる。これによって、防水パッキンを不要とすることができる。
【発明の効果】
【００１３】
本発明によれば、電子機器の保守点検時等における脱着作業を容易に行うことができるとともに、小型かつ軽量の電子機器収納箱を提供することができる。
【発明を実施するための最良の形態】
【００１４】
本発明にかかる電子機器収納箱１は、図１に示すように、大別して、図示しない建物外壁面等に突出して設置される本体３と、この本体３の背面を除く全面を被覆するフルフェイス状カバー（以下、「カバー」と略称する）２とで構成される。尚、図１（ａ）は、前面に透視窓としてのアクリル板８を有する電子機器収納箱１の外観を示し、図１（ｂ）は、カバー２を取り外した後、本体３に電子機器４を収納する状態を示す。
【００１５】
カバー２の主要部であるカバー本体７（図２（ａ）参照）は、板金を溶接して箱形に形成される。カバー本体７の両側面には、図１に示した電子機器収納箱１の内部の空気を換気、空冷するためのよろい戸７ａが複数形成される。カバー本体７の底面部には、よろい戸７ａから雨が進入した場合に備え、水抜き穴７ｂが複数穿設されるとともに、カバー本体７を本体３に固定するための固定用穴部７ｃが２箇所に穿設される。また、カバー本体７の内部を透視するための窓として、アクリル板８がカバー本体７の内面より嵌め込まれ、接着固定される。
【００１６】
本体３の主要部である基部６は、図２（ｂ）に示すように、小型・軽量化を図るため、図１に示した電子機器４の外形より最小限の収納スペースを確保した収納箱として形成される。この基部６は、建物外壁の設置面にボルト等で固定するための据付穴６ａと、電気配線用通線口６ｂとを備える。また、基部６の前面部には、水切り構造を有するフランジ部６ｃが形成され、後部上下面には、フランジ部６ｃと同様の形状を有する凹状切欠付きブラケット９が各々設けられる。
【００１７】
次に、カバー２及び本体３の詳細構造について、図３を参照しながら説明する。
【００１８】
カバー２は、図３（ａ）に示すように、カバー本体７と、透視窓用のアクリル板８と、上部凹状切欠段曲部付きブラケット（以下、「上部ブラケット」と略称する）１０と、下部凹状切欠段曲部付きブラケット（以下、「下部ブラケット」と略称する）１１とで構成される。
【００１９】
アクリル板８は、輪郭部が段差加工され、カバー本体７の内面側開口部に嵌め合うようにして接着固定される。
【００２０】
上部ブラケット１０と、下部ブラケット１１は、互いに対称形に形成され、カバー本体７の上下内面に各々溶接固定され、各々４箇所の凹状切欠段曲部１０ａ、１１ａと、基部６とカバー本体７とを係合させるために各々２箇所に設けられた段曲部１０ｂ、１１ｂを備える。また、段曲部１１ｂの２箇所には、ねじ固定用丸穴１１ｃが穿設される。
【００２１】
本体３は、図３（ｂ）に示すように、基部６と、凹状切欠付きブラケット（以下、「ブラケット」と略称する）９と、サポート１２と、ねじ穴付きサポート１３と、電子機器据付用ベースプレート１４とで構成される。
【００２２】
基部６の本体前面部には、外周囲方向に折り曲げたフランジ部６ｃに、上下部とも同一形状の凹状切欠部６ｄが各々２箇所に設けられる。また、基部６の上下後部外面には、前面切欠部６ｄと同一形状の凹状切欠部９ａを有するブラケット９が各々溶接固定される。
【００２３】
２つの上部サポート１２は、段曲部１０ｂの各々に当接する突出部として、基部６の上面に溶接固定される。
【００２４】
２つの下部ねじ穴付きサポート１３も、上部サポート１２と同様に構成され、カバー側ねじ固定用丸穴１１ｃの各々に一致するように溶接固定される。
【００２５】
基部６の内部前面には、電子機器据付用ベースプレート１４が設けられ、電子機器４の据付穴に対応する据付用ねじ穴１４ａを４箇所に備え、電子機器４の前面突出寸法に応じて溶接固定される。
【００２６】
基部６の建物外壁設置側には、ボルト固定するための据付穴６ａが４箇所に設けられ、基部６の下部には、電気配線用通線口６ｂが設けられる。
【００２７】
図４は、カバー２を本体３に係合した状態を示す組立斜視図である。同図において、カバー２のカバー本体７側の上部ブラケット１０及び下部ブラケット１１の凹状切欠段曲部１０ａ、１１ａと、基部６側の凹状切欠部６ｄ、９ａとが互いに係合し、かつ段曲部１０ｂ、１１ｂと、サポート１２、１３の端面が当接した状態で、カバー本体７の下部のねじ穴１１ｃよりねじ１５を２本挿入し、カバー本体７と基部６とを固定する組立構造である。
【００２８】
図５は、上記組立構造の特徴を示した各部詳細図であり、図５（ｃ）及び図５（ｄ）は、各々カバー２で本体３を被覆した状態を示すＡ−Ａ線及びＢ−Ｂ線断面詳細図である。
【００２９】
図５（ｃ）に示すように、カバー本体７の上部内面の上部ブラケット１０の凹状切欠段曲部１０ａの４箇所が、基部６側の２箇所の上部凹状切欠部６ｄを通過し、ブラケット９の凹状切欠部９ａの２箇所まで移動した後、カバー本体７を左側にスライドすることによって、凹状切欠部６ｄ、９ａに凹状切欠段曲部１０ａが嵌め合い係合される。
【００３０】
さらに、図５（ｄ）に示すように、２箇所の段曲部１０ｂがサポート１２の端面に当接することにより、カバー本体７と基部６とのガタツキを防止している。同様に、下部についても、凹状切欠段曲部１１ａと凹状切欠部６ｄ、９ａとが互いに嵌め合い係合された状態になる。この状態で、カバー本体７の底面部は、ねじ穴付きサポート１３に段曲部１１ｂの固定穴１１ｃが一致し、カバー本体７側のねじ通し穴７ｃの２箇所にねじ１５を挿入して固定される。
【００３１】
このように、小型・軽量化を図った本発明にかかる電子機器収納箱１は、８箇所の凹状切欠部６ｄ、９ａによる嵌め合い係合、及びねじ１５によるねじ固定構造により、カバー本体７内の凹状切欠段曲部１０ａ、１１ａの突起形状による電子機器４の落下防止も可能となり、電子機器４を簡単に脱着することができる。
【００３２】
さらに、本体３を小型化することによる電子機器４の内部発熱上昇に対応するため、電子機器収納箱１の内部空気を換気、空冷するよろい戸７ａを両側面に各々複数個設け、カバー本体７の底面部には、前記よろい戸７ａから雨が進入した場合の水抜き穴７ｂが複数個設けられる。
【図面の簡単な説明】
【００３３】
【図１】本発明にかかる電子機器収納箱を示す全体斜視図である。
【図２】（ａ）は、図１の電子機器収納箱の通常の設置状態を示す全体概略図、（ｂ）は、カバーを取り外した状態の本体への電子機器の収納状態を示す全体概略図である。
【図３】図１の電子機器収納箱の本体とカバーの部品構成を示す図であって、（ａ）は、上部及び下部ブラケットを装着する状態を示す斜視図、（ｂ）は、凹状切欠き付きブラケットを装着する状態を示す斜視図である。
【図４】図１の電子機器収納箱の本体とカバーを組み立てた状態を示す斜視図である。
【図５】図１の電子機器収納箱の本体とカバーを組み立てた状態を示す詳細図であって、（ａ）は正面図、（ｂ）は底面図、（ｃ）は（ａ）のＡ−Ａ線断面図、（ｄ）は（ａ）のＢ−Ｂ線断面図である。
【図６】従来の電子機器収納箱の一例を示す図であって、（ａ）は、電子機器を収納した電子機器収納箱を示す全体斜視図、（ｂ）は、電子機器収納箱の開閉扉を開いた状態を示す全体斜視図である。
【符号の説明】
【００３４】
１      電子機器収納箱
２      カバー
３      本体
４      電子機器
６      基部
６ａ    据付穴
６ｂ    電気配線用通線口
６ｃ    フランジ部
６ｄ    凹状切欠部
７      カバー本体
７ａ    よろい戸
７ｂ    水抜き穴
７ｃ    固定用穴部
８      アクリル板
９      凹状切欠き付きブラケット
９ａ    凹状切欠部
１０    上部ブラケット
１０ａ  凹状切欠段曲部
１０ｂ  段曲部
１１    下部ブラケット
１１ａ  凹状切欠段曲部
１１ｂ  段曲部
１１ｃ  ねじ固定用丸穴
１２    サポート
１３    ねじ穴付きサポート
１４    電子機器据付用ベースプレート
１５    ねじ
【図１】
2006032581.tif 000003
【図２】
2006032581.tif 000004
【図３】
2006032581.tif 000005
【図４】
2006032581.tif 000006
【図５】
2006032581.tif 000007
【図６】
2006032581.tif 000008